(57)【特許請求の範囲】
【請求項１】
狭域通信を利用した路車間通信システムのうち、道路自動料金収受システムと、前記道路自動料金収受システム以外の前記路車間通信システムである狭域通信応用システムとのそれぞれに対応するセットアップ情報に基づくセットアップ処理が完了済となることにより、そのセットアップ情報に対応する前記路車間通信システムでの路車間通信が可能となり、前記路車間通信システムによるサービスに用いられる情報であるサービス情報、及び前記セットアップ情報のいずれか一方の情報であるＩＣ主記憶情報と、種別を識別するための識別情報とが予め記憶されたＩＣカードを読取可能であり、読取対象の前記ＩＣカードの種別毎に異なる処理を行う狭域通信用車載器であって、
前記ＩＣカードに記憶された前記ＩＣ主記憶情報及び前記識別情報を読み取るとともに、読み取った前記識別情報に基づいて前記ＩＣカードの種別を識別するＩＣカード読取部、及び
前記ＩＣカード読取部によって前記ＩＣカードの種別が前記道路自動料金収受システムでの前記セットアップ処理用のものであると識別された場合に、前記ＩＣカード読取部によって前記ＩＣカードから読み取られた前記ＩＣ主記憶情報に基づいて、前記道路自動料金収受システムでの前記セットアップ処理を実行するセットアップ処理部
を備え、
前記セットアップ処理部は、前記ＩＣカード読取部によって前記ＩＣカードの種別が前記狭域通信応用システムでの前記セットアップ処理用のものであると識別された場合に、前記道路自動料金収受システムでの前記セットアップ処理が完了済であるときに、前記ＩＣカード読取部によって前記ＩＣカードから読み取られた前記ＩＣ主記憶情報に基づいて、前記狭域通信応用システムでの前記セットアップ処理を実行する
ことを特徴とする狭域通信用車載器。
【請求項２】
前記セットアップ処理部は、前記ＩＣカード読取部によって前記ＩＣカードの種別が前記道路自動料金収受システムと前記狭域通信応用システムとを兼ねる前記セットアップ処理用のものであると識別された場合に、前記ＩＣカード読取部によって前記ＩＣカードから読み取られた前記ＩＣ主記憶情報に基づいて、前記狭域通信応用システムでの前記セットアップ処理を実行して、その後に、前記道路自動料金収受システムでの前記セットアップ処理を実行し、前記道路自動料金収受システムでの前記セットアップ処理が失敗しているときには、前記狭域通信応用システムでの前記セットアップ処理の内容を消去する
ことを特徴とする請求項１記載の狭域通信用車載器。
【請求項３】
前記セットアップ処理部による処理内容を利用者に知らせるための通知部
をさらに備え、
前記セットアップ処理部は、
前記ＩＣカード読取部によって前記ＩＣカードの種別が前記道路自動料金収受システムでのサービス用のものであると識別された場合には、前記道路自動料金収受システムによるサービスの可否を前記通知部から利用者に通知し、
前記ＩＣカード読取部によって前記ＩＣカードの種別が前記狭域通信応用システムでのサービス用のものであると識別された場合には、前記狭域通信応用システムによるサービスの可否を前記通知部から利用者に通知する
ことを特徴とする請求項１又は請求項２に記載の狭域通信用車載器。
【発明の詳細な説明】
【技術分野】
【０００１】
この発明は、ＩＴＳ（Ｉｎｔｅｌｌｉｇｅｎｔ  Ｔｒａｎｓｐｏｒｔ  Ｓｙｓｔｅｍ：高度道路交通システム）のＥＴＣ（Ｅｌｅｃｔｒｏｎｉｃ  Ｔｏｌｌ  Ｃｏｌｌｅｃｔｉｏｎ：道路自動料金収受）システム等に用いられる狭域通信用車載器に関するものである。
【背景技術】
【０００２】
近年、ＤＳＲＣ（Ｄｅｄｉｃａｔｅｄ  Ｓｈｏｒｔ−Ｒａｎｇｅ  Ｃｏｍｍｕｎｉｃａｔｉｏｎ：狭域通信）を利用した路車間通信のサービスが普及し始めている。このＤＳＲＣを利用した路車間通信のサービスとして、ＥＴＣサービスがある。このＥＴＣサービスとは、有料道路における通行料金の自動収受を行うためのサービスである。また、ＥＴＣサービスを実現するためのＥＴＣシステムでは、車両に取り付けられた車載器と、料金所に設置された路側機との間で無線通信、即ち路車間通信が行われる。そして、車載器と路側機との間で、必要な情報が送受信されることにより、料金の収受処理が行われる。
【０００３】
ここで、通行料金の決済には、ＥＴＣ決済専用のＩＣカードであるＥＴＣ決済カードが用いられる。このＥＴＣ決済カードは、車載器に設けられたカードスロットに挿入されて使用される。また、ＥＴＣサービスを利用するためには、車載器のＥＴＣセットアップ処理が事前に必要となる。このＥＴＣセットアップ処理とは、高速道路の運用事業者が提供するＥＴＣサービスにおいて必要な車両情報等の初期情報を車載器に予め登録する処理である。このＥＴＣセットアップ処理が完了しなければ、車載器がＥＴＣシステムにおける路車間通信を行えず、利用者がＥＴＣサービスを利用することができない。
【０００４】
具体的に、ＥＴＣセットアップ処理は、ＥＴＣセットアップ情報が予め書き込まれたＩＣカードであるＥＴＣセットアップカードが車載器のカードスロットに挿入されることによって実行される。このＥＴＣセットアップ情報とは、ＥＴＣ車載器情報や、暗号化通信用の暗号鍵情報であるＥＴＣセキュリティ情報等である。
【０００５】
このＥＴＣセットアップ処理について、例えば特許文献１，２に示すような従来の車載器では、ＣＰＵによってＥＴＣセットアップ情報がＥＴＣセットアップカードから読み出される。そして、そのセットアップ情報が暗号処理用のＳＡＭ（Ｓｅｃｕｒｉｔｙ  Ａｐｐｌｉｃａｔｉｏｎ  Ｍｏｄｕｌｅ）に格納される。これによって、ＥＴＣセットアップ処理が完了する。
【０００６】
また、例えば特許文献３に示すような従来の車載器では、車載器の製造後、出荷検査の段階で、車載器のカードスロットに初期化専用ファイルが予め記憶されたＩＣカードが挿入される。そして、ＣＰＵによって初期化専用ファイルが読み込まれることにより、ＥＴＣセットアップ処理に関する設定が消去される。
【０００７】
【特許文献１】特許第３６７９９１０号公報
【特許文献２】特許第３８２６８５７号公報
【特許文献３】特許第３７３６２１０号公報
【発明の開示】
【発明が解決しようとする課題】
【０００８】
ここで、近年では、ＤＳＲＣを利用したサービスのうち、ＥＴＣサービス以外にも、例えば、駐車場、ガソリンスタンド又はドライブスルー等で決済を行うようなサービスや、物流管理等を行うようなサービスである狭域通信応用サービス（非ＥＴＣサービス）が実用化されつつある。そこで、ＤＳＲＣを利用した路車間通信システムのうち、ＥＴＣサービスと非ＥＴＣサービスとを共に提供することができる狭域通信用車載器が必要とされている。
【０００９】
以下、本明細書において、上記のような狭域通信応用サービスを、単にＤＳＲＣサービスとして記載する。また、ＤＳＲＣを利用した路車間通信システムのうち、ＥＴＣシステム以外の路車間通信システムである狭域通信応用システムを、単にＤＳＲＣシステムとして記載する。
【００１０】
ここで、ＤＳＲＣサービスを利用する際には、例えばクレジットカード等のＩＣカードであるＤＳＲＣサービス用カード（ＤＳＲＣ決済カード）が用いられる。このＤＳＲＣサービス用カードは、ＥＴＣ決済カードとは異なるＩＣカードである。このため、ＤＳＲＣサービスを利用するためには、ＥＴＣセットアップ処理とは異なるセットアップ処理、即ちＤＳＲＣセットアップ処理が必要となる。そして、このＤＳＲＣセットアップ処理が完了しなければ、車載器がＤＳＲＣシステムにおける路車間通信を行えず、利用者がＤＳＲＣサービスを利用することができない。
【００１１】
このＤＳＲＣセットアップ処理は、ＤＳＲＣセットアップ情報が予め書き込まれたＩＣカードであるＤＳＲＣセットアップカードが車載器のカードスロットに挿入されることによって、車載器のＣＰＵにより実行される。ＤＳＲＣセットアップ情報とは、ＤＳＲＣ車載器情報や、暗号化通信用の暗号鍵情報であるＤＳＲＣセキュリティ情報である。なお、ＤＳＲＣ車載器情報は、ＥＴＣ車載器情報とは異なる情報であり、ＤＳＲＣセキュリティ情報もまたＥＴＣセキュリティ情報とは異なる情報である。
【００１２】
また、ＤＳＲＣセットアップ処理は、車載器のＣＰＵによって、ＤＳＲＣセットアップカードからＤＳＲＣセットアップ情報が読み込まれ、そのＤＳＲＣセットアップ情報がＳＡＭに格納されることによって完了する。従って、車載器がＥＴＣシステム及びＤＳＲＣシステムの両方の路車間通信を行うためには、ＥＴＣセットアップ処理及びＤＳＲＣセットアップ処理の両方の処理が実行される必要がある。
【００１３】
ここで、ＥＴＣセットアップ処理及びＤＳＲＣセットアップ処理がともに未完了（未処理）の状態の車載器において、ＤＳＲＣセットアップ処理のみが実行され、そのＤＳＲＣセットアップ処理が成功した場合には、車載器の状態が、ＤＳＲＣセットアップ処理の完了済で、ＥＴＣセットアップ処理の未完了という状態となる。
【００１４】
また、ＥＴＣセットアップ処理及びＤＳＲＣセットアップ処理がともに未完了の状態の車載器において、ＥＴＣセットアップ処理及びＤＳＲＣセットアップ処理がともに実行され、ＥＴＣセットアップ処理が失敗し、ＤＳＲＣセットアップ処理のみが成功した場合にも、車載器の状態が、ＤＳＲＣセットアップ処理の完了済で、ＥＴＣセットアップ処理の未完了という状態となる。
【００１５】
これらのような状態の車載器は、ＤＳＲＣサービスのみ利用可能で、ＤＳＲＣサービスよりも前から普及しているＥＴＣサービスが利用不可ということとなる。これにより、ＥＴＣサービスを主に受けようとする利用者が、ＥＴＣサービスを受けられなくなるため、ＥＴＣサービス及びＤＳＲＣサービスの運用上好ましくない。
【００１６】
なお、特許文献１，２に示すような従来の車載器では、ＥＴＣシステムに関連するＩＣカードしか受け付けず、その他のカードが車載器のカードスロットに挿入された場合には、車載器の音声出力手段からカード異常通知が発せられる。このような構成のため、ＥＴＣセットアップ処理とＤＳＲＣセットアップ処理とを適切に実行することができなかった。また、特許文献３に示すような従来の車載器では、セットアップ処理の完了状態に応じてセットアップ処理の完了済の状態が初期化されるが、ＤＳＲＣセットアップ処理の実行を制限するものではなかった。
【００１７】
この発明は、上記のような課題を解決するためになされたものであり、道路自動料金収受システムでのセットアップ処理が未完了で、狭域通信応用システムでのセットアップ処理が完了済の状態となることを防ぐことができる狭域通信用車載器を得ることを目的とする。
【課題を解決するための手段】
【００１８】
この発明に係る狭域通信用車載器は、狭域通信を利用した路車間通信システムのうち、道路自動料金収受システムと、道路自動料金収受システム以外の路車間通信システムである狭域通信応用システムとのそれぞれに対応するセットアップ情報に基づくセットアップ処理が完了済となることにより、そのセットアップ情報に対応する路車間通信システムでの路車間通信が可能となり、路車間通信システムによるサービスに用いられる情報であるサービス情報、及びセットアップ情報のいずれか一方の情報であるＩＣ主記憶情報と、種別を識別するための識別情報とが予め記憶されたＩＣカードを読取可能であり、読取対象のＩＣカードの種別毎に異なる処理を行うものであって、ＩＣカードに記憶されたＩＣ主記憶情報及び識別情報を読み取るとともに、読み取った識別情報に基づいてＩＣカードの種別を識別するＩＣカード読取部、及びＩＣカード読取部によってＩＣカードの種別が道路自動料金収受システムでのセットアップ処理用のものであると識別された場合に、ＩＣカード読取部によってＩＣカードから読み取られたＩＣ主記憶情報に基づいて、道路自動料金収受システムでのセットアップ処理を実行するセットアップ処理部を備え、セットアップ処理部は、ＩＣカード読取部によってＩＣカードの種別が狭域通信応用システムでのセットアップ処理用のものであると識別された場合に、道路自動料金収受システムでのセットアップ処理が完了済であるときに、ＩＣカード読取部によってＩＣカードから読み取られたＩＣ主記憶情報に基づいて、狭域通信応用システムでのセットアップ処理を実行するものである。
【発明の効果】
【００１９】
この発明の狭域通信用車載器によれば、ＩＣカード読取部によってＩＣカードの種別が狭域通信応用システムでのセットアップ処理用のものであると識別された場合に、道路自動料金収受システムでのセットアップ処理が完了済であるときに、セットアップ処理部によって狭域通信応用システムでのセットアップ処理が実行されるので、道路自動料金収受システムでのセットアップ処理が未完了で、狭域通信応用システムでのセットアップ処理が完了済の状態となることを防ぐことができる。
【発明を実施するための最良の形態】
【００２０】
以下、この発明を実施するための最良の形態について、図面を参照して説明する。
実施の形態１．
図１は、この発明の実施の形態１による狭域通信用車載器としてのＤＳＲＣ車載器の物理的構成を模式的に示すブロック図である。
図１において、ＤＳＲＣ車載器１は、アンテナ２、通信回路３、車載器制御ユニット（ＣＰＵ）４、パラメータ記憶部（ＥＥＰＲＯＭ等）５、通知部としてのＨＭＩ（Ｈｕｍａｎ  Ｍａｃｈｉｎｅ  Ｉｎｔｅｒｆａｃｅ）部６、電源回路７、外部機器接続部（外部Ｉ／Ｆ）８、ＳＡＭ（Ｓｅｃｕｒｉｔｙ  Ａｐｐｌｉｃａｔｉｏｎ  Ｍｏｄｕｌｅ）９、及びＩＣカードスロット（ＩＣカードＩ／Ｆ）１０を有している。
【００２１】
車載器制御ユニット４は、ＤＳＲＣ車載器１の動作を制御する。また、車載器制御ユニット４は、アンテナ２及び通信回路３を介して、ＥＴＣシステム又はＤＳＲＣシステムの路側器（図示せず）と通信する。パラメータ記憶部５は、車載器制御ユニット４の動作（演算処理）に用いられる各種パラメータ等を記憶している。
【００２２】
ＨＭＩ部６は、例えば音量変更ボタン等である操作手段１１、例えばスピーカ等の音声出力手段１２、例えばＬＥＤ等である光出力手段１３を含んでいる。操作手段１１は、利用者による操作内容を車載器制御ユニット４に伝える。音声出力手段１２は、車載器制御ユニット４からの状態通知用の音声信号に応じて、音声を外部に出力する。及び光出力手段１３は、車載器制御ユニット４によって、発光・発光停止を制御される。
【００２３】
電源回路７は、例えば車両（図示せず）に設けられたバッテリ等である電源１４に接続されており、電源１４から電力の供給を受ける。外部機器接続部８は、例えばカーナビション装置等の外部装置１５に接続されている。なお、車載器制御ユニット４は、外部機器接続部８を介して、外部装置１５と通信可能となっている。
【００２４】
ＳＡＭ９は、車載器制御ユニット４と相互に通信可能となっている。ＳＡＭ９は、ＥＴＣシステムでの暗号化通信に用いられるＥＴＣセキュリティ情報を含むＥＴＣセットアップ情報、及びＤＳＲＣシステムでの暗号化通信に用いられるＤＳＲＣセキュリティ情報を含むＤＳＲＣセットアップ情報を格納する。ＩＣカードスロット１０には、ＩＣカード１６が着脱（挿入・抜出）自在となっている。また、ＩＣカードスロット１０は、ＩＣカード１６のＩＣチップ（図示せず）に接触・接続するための接触子（図示せず）を有している。
【００２５】
ここで、ＤＳＲＣ車載器１は、ＥＴＣシステムにおける事前処理であるＥＴＣセットアップ処理を実行し、ＳＡＭ９にＥＴＣセットアップ情報が格納されることによって、ＥＴＣシステムでの路車間通信（路側器との通信）が可能となる。これと同様に、ＤＳＲＣ車載器１は、ＤＳＲＣシステムにおける事前処理であるＤＳＲＣセットアップ処理を実行し、ＳＡＭ９にＤＳＲＣセットアップ情報が格納されることによって、ＤＳＲＣシステムでの路車間通信が可能となる。
【００２６】
次に、図１の車載器制御ユニット４の機能について具体的に説明する。図２は、図１の車載器制御ユニット４を具体的に示すブロック図である。図２において、車載器制御ユニット４は、ＩＣカード検出部２１、ＩＣカード読取部（カード種別判別手段）２２及びセットアップ処理部２３を有している。ＩＣカード検出部２１は、ＩＣカードスロット１０にＩＣカード１６が挿入されたことを検出する。
【００２７】
ＩＣカード読取部２２は、ＩＣカードスロット１０の接触子を介して、ＩＣカード１６のＩＣチップと通信し、ＩＣカード１６に予め記憶されたＩＣ主記憶情報と、ＩＣカード１６の種別を識別するための識別情報とを読み取る。このＩＣ主記憶情報とは、ＥＴＣシステムによるサービスに用いられる情報であるＥＴＣサービス情報、ＤＳＲＣシステムによるサービスに用いられる情報であるＤＳＲＣサービス情報、ＥＴＣセットアップ情報、又はＤＳＲＣセットアップ情報である。
【００２８】
また、ＩＣカード読取部２２は、ＩＣカード検出部２１によってＩＣカード１６が検出された際に、ＩＣカード１６から識別情報を読み取ることによって、ＩＣカード１６の種別を識別する。即ち、ＩＣカード読取部２２は、挿入カード識別処理を実行する。
【００２９】
ここで、ＩＣカード読取部２２によって識別可能なＩＣカード１６の種別は、ＤＳＲＣサービス用カードとしてのＥＴＣ決済カード、ＥＴＣセットアップカード、ＤＳＲＣサービス用カードとしてのクレジットカード、ＤＳＲＣセットアップカードである。また、ＩＣカード読取部２２は、ＩＣカード１６の種別を識別できない場合には、ＩＣカード１６が「その他のカード」であると判断する。
【００３０】
セットアップ処理部２３は、ＥＴＣセットアップ（ＥＴＣシステムでのセットアップ）及びＤＳＲＣセットアップ（ＤＳＲＣシステムでのセットアップ）に関する処理を行う。また、セットアップ処理部２３は、ＥＴＣセットアップ実行手段２４、ＥＴＣセットアップ実行結果判別手段２５、ＥＴＣセットアップ状況判別手段２６、ＤＳＲＣセットアップ実行手段２７、ＤＳＲＣセットアップ実行結果判別手段２８、及びＤＳＲＣセットアップ状況判別手段２９を含んでいる。
【００３１】
ＥＴＣセットアップ実行手段２４は、ＩＣカード読取部２２から受けたＥＴＣセットアップ情報に基づいて、ＥＴＣセットアップ処理を実行する。また、ＥＴＣセットアップ実行手段２４は、ＥＴＣセットアップ処理を実行することによって、ＥＴＣセットアップ情報（ＥＴＣセキュリティ情報）をＳＡＭ９に格納する。
【００３２】
ＥＴＣセットアップ実行結果判別手段２５は、ＥＴＣセットアップ状況判別処理を実行する。ＥＴＣセットアップ状況判別処理とは、ＥＴＣセットアップ実行手段２４の処理内容を監視して、ＥＴＣセットアップ実行手段２４によるＥＴＣセットアップ処理の実行結果、即ちＥＴＣセットアップ処理の成否を判別する処理である。
【００３３】
ＥＴＣセットアップ状況判別手段２６は、ＳＡＭ９にＥＴＣセットアップ情報が格納されているか否かを確認し、ＥＴＣセットアップ処理が完了済であるか否か（未完了か）を判別する。即ち、ＥＴＣセットアップ状況判別手段２６は、ＳＡＭ９にＥＴＣセットアップ情報が格納されていることを確認した場合に、ＥＴＣセットアップ処理が完了済であると判断する。一方、ＥＴＣセットアップ状況判別手段２６は、ＳＡＭ９にＥＴＣセットアップ情報が格納されていないことを確認した場合に、ＥＴＣセットアップが未完了であると判断する。
【００３４】
ＤＳＲＣセットアップ実行手段２７は、ＩＣカード読取部２２から受けたＤＳＲＣセットアップ情報に基づいて、ＤＳＲＣセットアップ処理を実行し、ＤＳＲＣセットアップ情報（ＤＳＲＣセキュリティ情報）をＳＡＭ９に格納する。ＤＳＲＣセットアップ実行結果判別手段２８は、ＤＳＲＣセットアップ実行手段２７の処理内容を監視し、ＤＳＲＣセットアップ処理の実行結果、即ちＤＳＲＣセットアップ処理の成否を判別する。
【００３５】
ＤＳＲＣセットアップ状況判別手段２９は、ＥＴＣセットアップ状況判別処理を実行する、ＥＴＣセットアップ状況判別処理とは、ＳＡＭ９にＤＳＲＣセットアップ情報が格納されているか否かを確認し、ＤＳＲＣセットアップ処理が完了済であるか否かを判別する処理である。即ち、ＤＳＲＣセットアップ状況判別手段２９は、ＳＡＭ９にＤＳＲＣセットアップ情報が格納されていることを確認した場合に、ＤＳＲＣセットアップ処理が完了済であると判断する。一方、ＤＳＲＣセットアップ状況判別手段２９は、ＳＡＭ９にＤＳＲＣセットアップ情報が格納されていないことを確認した場合に、ＤＳＲＣセットアップ処理が未完了であると判断する。
【００３６】
ここで、ＩＣカードスロット１０にＩＣカード１６が挿入された際に、ＩＣカード読取部２２により判別された読取対象のＩＣカード１６の種別毎に、車載器制御ユニット４（セットアップ処理部２３）は、異なる処理を実行する。具体的に、ＩＣカード読取部２２によってＩＣカード１６が「ＥＴＣセットアップカード」であると識別された場合には、ＥＴＣセットアップ実行手段２４によって、ＥＴＣセットアップ処理が実行される。これとともに、ＥＴＣセットアップ実行結果判別手段２５によって、ＥＴＣセットアップ実行手段２４によるＥＴＣセットアップ処理が監視される。
【００３７】
また、ＩＣカード読取部２２によってＩＣカード１６が「ＤＳＲＣセットアップカード」であると識別された場合には、ＥＴＣセットアップ状況判別手段２６によって、ＥＴＣセットアップ処理が完了済であるか否かが確認される。そして、ＥＴＣセットアップ状況判別手段２６によりＥＴＣセットアップ処理が完了済であると確認された場合に、ＤＳＲＣセットアップ実行手段２７によって、ＤＳＲＣセットアップ処理が実行される。
【００３８】
さらに、ＩＣカード読取部２２によってＩＣカード１６が「ＥＴＣ決済カード」であると識別された場合には、ＥＴＣセットアップ状況判別手段２６によって、ＥＴＣセットアップ処理が完了済であるか否かが判別される。即ち、ＥＴＣセットアップ状況判別手段２６は、ＥＴＣシステムでの路車間通信が可能か否かを確認する。
【００３９】
また、ＩＣカード読取部２２によってＩＣカード１６が「クレジットカード」であると識別された場合には、ＤＳＲＣセットアップ状況判別手段２９によって、ＤＳＲＣセットアップ処理が完了済であるか否かが判別される。即ち、ＤＳＲＣセットアップ状況判別手段２９は、ＤＳＲＣシステムでの路車間通信が可能か否かを確認する。
【００４０】
さらに、ＩＣカード読取部２２によってＩＣカード１６が「その他のカード」であると識別された場合には、車載器制御ユニット４によってＨＭＩ部６からカード異常通知が発せられる。
【００４１】
なお、車載器制御ユニット４は、中央演算部（ＣＰＵ）及び記憶部（ＲＯＭ、ＲＡＭ等）を有している（ともに図示せず）。車載器制御ユニット４の記憶部は、ＩＣカード検出部２１、ＩＣカード読取部２２及びセットアップ処理部２３（各手段２４〜２９）の機能を実現するためのプログラムを格納している。
【００４２】
次に、ＩＣカードスロット１０にＩＣカード１６が挿入された際の車載器制御ユニット４の動作について説明する。図３〜７は、図２の車載器制御ユニット４の動作を示すフローチャートである。図３において、まず、ＩＣカードスロット１０にＩＣカード１６が挿入されると、車載器制御ユニット４は、挿入カード識別処理を行う（ステップＳ００１，Ｓ００２）。そして、車載器制御ユニット４は、挿入カード識別処理の結果に応じて、処理内容を決定する。
【００４３】
このときに、挿入カード識別処理結果が「ＥＴＣ決済カード」である場合、車載器制御ユニット４は、ＥＴＣ決済カード対応処理を実行する（ステップＳ１００）。そして、図４において、車載器制御ユニット４は、ＥＴＣセットアップ状況判別処理を実行する（ステップＳ１０１）。そして、車載器制御ユニット４は、ＥＴＣセットアップ状況判別処理に基づいて、ＥＴＣセットアップ処理が完了済（ＥＴＣセットアップ済）であるか否かを確認する（ステップＳ１０２）。
【００４４】
車載器制御ユニット４は、ＥＴＣセットアップ処理の完了済であることを確認した場合（ステップＳ１０２のＹＥＳ方向）、ＥＴＣ決済カード認証処理を実行する（ステップＳ１０３）。そして、車載器制御ユニット４は、ＥＴＣ決済カードの認証に成功したか否かを確認する（ステップＳ１０４）。このときに、車載器制御ユニット４は、ＥＴＣ決済カードの認証に成功した場合（ステップＳ１０４のＹＥＳ方向）、ＥＴＣ決済カードの認証に成功した旨、及びＥＴＣサービスを利用可能である旨をＨＭＩ部６から利用者に通知する（ステップＳ１０５）。そして、ＩＣカード１６が挿入された際の車載器制御ユニット４の動作が終了する。
【００４５】
一方、車載器制御ユニット４は、ＥＴＣ決済カード認証処理の際に、ＥＴＣ決済カードの認証に失敗した場合（ステップＳ１０４のＮＯ方向）、ＥＴＣ決済カードの認証に失敗した旨、及びＥＴＣサービスを利用不可である旨をＨＭＩ部６から利用者に通知する（ステップＳ１０６）。そして、ＩＣカード１６が挿入された際の車載器制御ユニット４の動作が終了する。
【００４６】
他方、車載器制御ユニット４は、ＥＴＣセットアップ処理が未完了であることを確認した場合（ステップＳ１０２のＮＯ方向）、ＥＴＣセットアップ処理が未完了である旨、及びＥＴＣサービスを利用不可である旨をＨＭＩ部６から利用者に通知する（ステップＳ１０７）。そして、ＩＣカード１６が挿入された際の車載器制御ユニット４の動作が終了する。
【００４７】
また、図３において、車載器制御ユニット４は、カード判別処理（ステップＳ００１，００２）の際に、挿入されたＩＣカード１６が「ＥＴＣセットアップカード」であると識別した場合に、ＥＴＣセットアップカード対応処理を実行する（ステップＳ２００）。そして、図５において、車載器制御ユニット４は、ＥＴＣセットアップ処理を実行する（ステップＳ２０１）。
【００４８】
そして、車載器制御ユニット４は、ＥＴＣセットアップ処理が成功したか否かを確認する（ステップＳ２０２）。このときに、車載器制御ユニット４は、ＥＴＣセットアップ処理の成功を確認した場合、ＥＴＣセットアップ処理が成功した旨をＨＭＩ部６から利用者に通知する（ステップＳ２０３）。そして、ＩＣカード１６が挿入された際の車載器制御ユニット４の動作が終了する。
【００４９】
一方、車載器制御ユニット４は、ＥＴＣセットアップ処理の失敗を確認した場合（ステップＳ２０２のＮＯ方向）、ＥＴＣセットアップ処理が失敗した旨をＨＭＩ部６から利用者に通知する（ステップＳ２０４）。そして、ＩＣカード１６が挿入された際の車載器制御ユニット４の動作が終了する。
【００５０】
さらに、図３において、車載器制御ユニット４は、カード判別処理（ステップＳ００１，００２）の際に、挿入されたＩＣカード１６が「ＤＳＲＣセットアップカード」であると識別した場合に、ＤＳＲＣセットアップカード対応処理を実行する（ステップＳ３００）。そして、図６において、車載器制御ユニット４は、ＥＴＣセットアップ状況判別処理を実行し、ＥＴＣセットアップ処理が完了済であるか否かを確認する（ステップＳ３０１，Ｓ３０２）。
【００５１】
このときに、車載器制御ユニット４は、ＥＴＣセットアップ処理の完了済を確認した場合、ＤＳＲＣセットアップ処理を実行する（ステップＳ３０３）。そして、車載器制御ユニット４は、ＤＳＲＣセットアップ処理が成功したか否かを確認する（ステップＳ３０４）。このときに、車載器制御ユニット４は、ＤＳＲＣセットアップ処理の成功を確認した場合、ＤＳＲＣセットアップ処理が成功した旨をＨＭＩ部６から利用者に通知する（ステップＳ３０５）。そして、ＩＣカード１６が挿入された際の車載器制御ユニット４の動作が終了する。
【００５２】
一方、車載器制御ユニット４は、ＤＳＲＣセットアップ処理の失敗を確認した場合（ステップＳ３０４のＮＯ方向）、ＤＳＲＣセットアップ処理が失敗した旨をＨＭＩ部６から利用者に通知する（ステップＳ３０６）。そして、ＩＣカード１６が挿入された際の車載器制御ユニット４の動作が終了する。
【００５３】
他方、車載器制御ユニット４は、ＥＴＣセットアップ状況判別処理を実行した際に、ＥＴＣセットアップ処理の未完了を確認した場合（ステップＳ３０２のＮＯ方向）、ＥＴＣセットアップが未完了である旨、及びＤＳＲＣセットアップ処理が失敗した旨をＨＭＩ部６から利用者に通知する（ステップＳ３０７）。そして、ＩＣカード１６が挿入された際の車載器制御ユニット４の動作が終了する。
【００５４】
また、図３において、車載器制御ユニット４は、カード判別処理（ステップＳ００１，００２）の際に、挿入されたＩＣカード１６が「クレジットカード」であると識別した場合に、クレジットカード対応処理を実行する（ステップＳ４００）。そして、図７において、車載器制御ユニット４は、ＤＳＲＣセットアップ状況判別処理を実行する（ステップＳ４０１）。
【００５５】
そして、車載器制御ユニット４は、ＤＳＲＣセットアップ処理が完了済（ＤＳＲＣセットアップ済）であるか否かを確認する（ステップＳ４０２）。このときに、車載器制御ユニット４は、ＤＳＲＣセットアップ処理の完了済を確認した場合、クレジットカードが挿入された旨、及びＤＳＲＣサービスを利用可能である旨をＨＭＩ部６から利用者に通知する（ステップＳ４０３）。そして、ＩＣカード１６が挿入された際の車載器制御ユニット４の動作が終了する。
【００５６】
一方、車載器制御ユニット４は、ＤＳＲＣセットアップ処理の未完了を確認した場合（ステップＳ４０２のＮＯ方向）、カード異常である旨と、ＤＳＲＣサービス及びＥＴＣサービスを利用できない旨とをＨＭＩ部６から利用者に通知する（ステップＳ４０４）。そして、ＩＣカード１６が挿入された際の車載器制御ユニット４の動作が終了する。
【００５７】
さらに、図３において、車載器制御ユニット４は、カード判別処理（ステップＳ００１，００２）の際に、挿入されたＩＣカード１６が「その他のカード」であると識別した場合には、カード異常である旨と、ＤＳＲＣサービス及びＥＴＣサービスを利用できない旨とをＨＭＩ部６から利用者に通知する（ステップＳ５００）。そして、ＩＣカード１６が挿入された際の車載器制御ユニット４の動作が終了する。
【００５８】
上記のようなＤＳＲＣ車載器では、ＩＣカード読取部２２によってＩＣカード１６の種別が「ＤＳＲＣセットアップカード」であると識別された場合に、セットアップ処理部２３によってＥＴＣセットアップ処理が完了済であるか否かが確認される。そして、ＥＴＣセットアップ処理が完了済である場合にのみ、セットアップ処理部２３によってＤＳＲＣセットアップ処理が実行される。この構成により、ＥＴＣセットアップ処理が未完了で、ＤＳＲＣセットアップ処理が完了済の状態となることを防ぐことができる。
【００５９】
ここで、先の特許文献１〜３に示すような従来の車載器においては、カードスロットにＥＴＣ決済カードが挿入された際に、そのＥＴＣ決済カードの認証結果のみ（カードが正常に挿入されているか否か）が利用者に通知される。このような構成でＥＴＣサービス及びＤＳＲＣサービスの両方に対応する場合、ＥＴＣサービスを受けようとする利用者が、本来、ＥＴＣ決済カードをカードスロットに挿入するところ、誤ってクレジットカードをカードスロットに挿入した際に、クレジットカードの認証結果のみが利用者に通知される。これにより、利用者は、クレジットカードの認証が成功したことに応じて、ＥＴＣサービスを受けることができるものと誤認してしまう可能性がある。そして、その利用者の車両がＥＴＣレーンに進入した場合には、ＥＴＣ決済カードが挿入されていない状態であるため、ＥＴＣレーンのバーが開かず、利用者の車両がバーに接触してしまう可能性がある。
【００６０】
また、ＥＴＣ決済カードが正常にカードスロットに挿入された場合にのみ、カードの認証が成功した旨を通知し、ＥＴＣ決済カード以外のＩＣカードがカードスロットに挿入された場合に、ＩＣカードの異常を通知するような構成とすると、ＤＳＲＣサービスを利用するためにクレジットカードを挿入しても、カード異常が通知されてしまうことになる。このような構成では、ＤＳＲＣサービスを利用しようとしている利用者が、ＩＣカードの異常であると誤認してしまう可能性がある。
【００６１】
これに対して、実施の形態１のＤＳＲＣ車載器では、ＩＣカード読取部２２によってＩＣカード１６の種別が「クレジットカード」であると識別された場合に、セットアップ処理部２３によってＨＭＩ部６からＤＳＲＣサービスの利用可否が利用者に通知される。これとともに、ＩＣカード読取部２２によってＩＣカード１６の種別が「ＥＴＣ決済カード」であると識別された場合に、セットアップ処理部２３によってＨＭＩ部６からＥＴＣサービスの利用可否が利用者に通知される。この構成により、挿入されたＩＣカード１６の種別に応じて、ＥＴＣサービスが利用可能であるのか、ＤＳＲＣサービスが利用可能であるのか、双方とも利用不可であるのかを利用者に的確に通知することができ、利用者による誤認を防ぐことができる。
【００６２】
実施の形態２．
実施の形態１では、ＥＴＣセットアップカード及びＤＳＲＣセットアップカードのそれぞれが挿入されたことに応じて、セットアップ処理部２３によってＥＴＣセットアップ処理及びＤＳＲＣセットアップ処理が互いに独立して実行された。これに対して、実施の形態２の車載器制御ユニット４では、ＥＴＣ＋ＤＳＲＣセットアップカードが挿入された際に、セットアップ処理部２３によって、ＥＴＣセットアップ処理及びＤＳＲＣセットアップ処理が連続して実行される。なお、ＥＴＣ＋ＤＳＲＣセットアップカードとは、ＥＴＣセットアップカード及びＤＳＲＣセットアップカードを兼ねるＩＣカード、即ち、ＥＴＣセットアップ情報及びＤＳＲＣセットアップ情報をＩＣ主記憶情報として記憶するＩＣカードである
【００６３】
図８は、この発明の実施の形態２によるＤＳＲＣ車載器の一部を示すブロック図である。図８において、車載器制御ユニット４は、ＤＳＲＣセットアップ情報消去手段３０をさらに有している。つまり、車載器制御ユニット４の記憶部は、ＤＳＲＣセットアップ情報消去手段３０を実行するためのプログラムをさらに格納している。ＤＳＲＣセットアップ情報消去手段（ＤＳＲＣセットアップ情報削除手段）３０は、ＳＡＭ９に格納されたＤＳＲＣセットアップ情報を消去（削除）し、ＤＳＲＣ車載器１におけるＤＳＲＣセットアップに関する設定を初期化する。
【００６４】
ここで、実施の形態２では、ＩＣカード読取部２２によってＩＣカード１６が「ＥＴＣ＋ＤＳＲＣセットアップカード」であると識別された場合、まず、ＤＳＲＣセットアップ実行手段２７によって、ＤＳＲＣセットアップ処理が実行される。これとともに、ＤＳＲＣセットアップ実行結果判別手段２８によって、ＤＳＲＣセットアップ実行手段２７によるＤＳＲＣセットアップ処理が監視される。
【００６５】
そして、ＤＳＲＣセットアップ処理が成功したときに、ＥＴＣセットアップ実行手段２４によって、ＥＴＣセットアップ処理が実行される。このときに、ＥＴＣセットアップ処理が失敗した場合に、ＤＳＲＣセットアップ情報消去手段３０によって、ＤＳＲＣ車載器１におけるＤＳＲＣセットアップに関する設定が初期化される。他の構成は、実施の形態１と同様である。
【００６６】
次に、ＩＣカード１６が挿入された際の車載器制御ユニット４の動作について説明する。図９，１０は、図８の車載器制御ユニット４の動作を示すフローチャートである。図９において、車載器制御ユニット４は、カード判別処理（ステップＳ００１，００２）の際に、挿入されたＩＣカード１６が「ＥＴＣ＋ＤＳＲＣセットアップカード」であると識別した場合に、ＥＴＣ＋ＤＳＲＣセットアップカード対応処理を実行する（ステップＳ６００）。
【００６７】
そして、図１０において、車載器制御ユニット４は、ＤＳＲＣセットアップ処理を実行する（ステップＳ６０１）。そして、車載器制御ユニット４は、ＤＳＲＣセットアップ処理が成功したか否かを確認する（ステップＳ６０２）。このときに、車載器制御ユニット４は、ＤＳＲＣセットアップ処理の成功を確認した場合、ＥＴＣセットアップ処理を実行し、ＥＴＣセットアップ処理が成功したか否かを確認する（ステップＳ６０２，Ｓ６０３）。
【００６８】
そして、車載器制御ユニット４は、ＥＴＣセットアップ処理が成功したか否かを確認する（ステップＳ６０４）。このときに、車載器制御ユニット４は、ＥＴＣセットアップ処理の成功を確認した場合、ＤＳＲＣセットアップ処理及びＥＴＣセットアップ処理が成功した旨をＨＭＩ部６から利用者に通知する（ステップＳ６０５）。そして、ＩＣカード１６が挿入された際の車載器制御ユニット４の動作が終了する。
【００６９】
一方、車載器制御ユニット４は、ＥＴＣセットアップ処理の失敗を確認した場合（ステップＳ６０４のＮＯ方向）、ＳＡＭ９に格納されたＤＳＲＣセットアップ情報を消去し、ＤＳＲＣセットアップに関する設定を初期化する（ステップＳ６０６）。そして、車載器制御ユニット４は、ＤＳＲＣセットアップ処理及びＥＴＣセットアップ処理が失敗した旨をＨＭＩ部６から利用者に通知する（ステップＳ６０７）。そして、ＩＣカード１６が挿入された際の車載器制御ユニット４の動作が終了する。
【００７０】
他方、車載器制御ユニット４は、ＤＳＲＣセットアップ処理の失敗を確認した場合（ステップＳ６０２のＮＯ方向）、ＤＳＲＣセットアップ処理及びＥＴＣセットアップ処理が失敗した旨をＨＭＩ部６から利用者に通知する（ステップＳ６０７）。そして、ＩＣカード１６が挿入された際の車載器制御ユニット４の動作が終了する。他の動作は、実施の形態１と同様である。
【００７１】
ここで、特許文献３に示すような従来の車載器では、ＤＳＲＣセットアップカードからセットアップ初期化データが読み出されることによって、ＤＳＲＣセットアップ処理に関する設定が初期化される。このため、ＥＴＣセットアップカードが挿入されても、ＤＳＲＣセットアップ処理に関する設定が初期化されなかった。
【００７２】
これに対して、上記のようなＤＳＲＣ車載器では、ＩＣカード読取部２２によってＩＣカード１６が「ＥＴＣ＋ＤＳＲＣセットアップカード」であると識別された場合に、ＤＳＲＣセットアップ処理が実行された後、ＥＴＣセットアップ処理が実行される。そして、ＥＴＣセットアップ処理が失敗したことに応じて、ＤＳＲＣセットアップ情報消去手段３０により、ＳＡＭ９に格納されたＤＳＲＣセットアップ情報が消去される。この構成により、ＥＴＣ＋ＤＳＲＣセットアップカードが挿入された場合であっても、ＤＳＲＣ車載器がＥＴＣ未セットアップでＤＳＲＣセットアップ済という状態になることをより確実に防止することができる。
【００７３】
なお、実施の形態１，２では、ＩＣカード読取部２２によってＩＣカード１６が「ＥＴＣ＋ＤＳＲＣセットアップカード」であると識別された場合に、ＤＳＲＣセットアップ処理が実行された後に、ＥＴＣセットアップ処理が実行された。しかしながら、この例に限るものではなく、先にＥＴＣセットアップ処理が実行されて、その後に、ＥＴＣセットアップ処理が成功している場合に、ＤＳＲＣセットアップ処理が実行されてもよい。
【００７４】
また、実施の形態１，２では、ＤＳＲＣサービス用カード（狭域通信応用システムでのサービス用のカード）としてクレジットカードを用いたが、クレジットカードに限るものではない。このＤＳＲＣサービス用カードは、ＤＳＲＣサービスを利用するために必要な情報が記録されたＩＣカードであればよい。
【図面の簡単な説明】
【００７５】
【図１】この発明の実施の形態１によるＤＳＲＣ車載器の物理的構成を模式的に示すブロック図である。
【図２】図１の車載器制御ユニットを具体的に示すブロック図である。
【図３】図２の車載器制御ユニットの動作を示すフローチャートである。
【図４】図２の車載器制御ユニットの動作を示すフローチャートである。
【図５】図２の車載器制御ユニットの動作を示すフローチャートである。
【図６】図２の車載器制御ユニットの動作を示すフローチャートである。
【図７】図２の車載器制御ユニットの動作を示すフローチャートである。
【図８】この発明の実施の形態２によるＤＳＲＣ車載器の一部を示すブロック図である。
【図９】図８の車載器制御ユニットの動作を示すフローチャートである。
【図１０】図８の車載器制御ユニットの動作を示すフローチャートである。
【符号の説明】
【００７６】
１  ＤＳＲＣ車載器（狭域通信用車載器）、４  車載器制御ユニット、６  ＨＭＩ部（通知部）、１６  ＩＣカード、２２  カード通信部、２３  セットアップ処理部、２４  ＥＴＣセットアップ実行手段、２５  ＥＴＣセットアップ実行結果判別手段、２６  ＥＴＣセットアップ状況判別手段、２７  ＤＳＲＣセットアップ実行手段、２８  ＤＳＲＣセットアップ実行結果判別手段、２９  ＤＳＲＣセットアップ状況判別手段、３０  ＤＳＲＣセットアップ情報消去手段。
【図１】
0004812797.tif 000002
【図２】
0004812797.tif 000003
【図３】
0004812797.tif 000004
【図４】
0004812797.tif 000005
【図５】
0004812797.tif 000006
【図６】
0004812797.tif 000007
【図７】
0004812797.tif 000008
【図８】
0004812797.tif 000009
【図９】
0004812797.tif 000010
【図１０】
0004812797.tif 000011